(57)【特許請求の範囲】
【請求項１】
情報の表示を行う表示部と、
前記表示部に重ねて配置され、ユーザのタッチ操作による入力を受け付ける入力部と、
前記表示部及び前記入力部の少なくとも一部を囲い、内周面が外周方向に窪んだ凹部を備える枠部材と、
を備え、
前記凹部は、前記枠部材における前記入力部に対して、スクロール操作、フリック操作、スワイプ操作、またはスライド操作のうち少なくともいずれか１つの操作による入力が可能な方向に対応する位置に、スクロール操作、フリック操作、スワイプ操作、またはスライド操作のうち少なくともいずれか１つの操作における操作可能幅を大きくするように向かい合って備えられることを特徴とする電子機器。
【請求項２】
前記枠部材は、前記内周面における対向する位置に少なくとも１組の前記凹部を備えることを特徴とする請求項１に記載の電子機器。
【発明の詳細な説明】
【技術分野】
【０００１】
本発明は、タッチパネルを備えた電子機器に関する。
【背景技術】
【０００２】
従来、腕に装着されるリスト端末等の電子機器において、表示画面にタッチパネル機能を備えたものが知られている。
このような電子機器は、スマートフォンに類する機能を備え、タッチパネルに入力操作を行うことで、電子機器に対し、種々の指示を行うことができる。
なお、リスト端末等の電子機器に関する技術は、例えば特許文献１に記載されている。
【先行技術文献】
【特許文献】
【０００３】
【特許文献１】特開２００２−３３５５６７号公報
【発明の概要】
【発明が解決しようとする課題】
【０００４】
しかしながら、リスト端末等として構成される電子機器は、スマートフォン等の機器に比べて表示画面が小型であり、そのため、タッチパネルの操作面も同様に小型となる。また、特にリスト端末の場合、表示画面を囲うベゼル等の枠部材が備えらえるため、操作時に操作者の指が枠部材に接触し、操作が滑らかに行えないことでユーザに不快感を与える可能性があった。
このように、リスト端末等の従来の電子機器においては、タッチパネルの操作性に改善の余地があった。
【０００５】
本発明は、このような状況に鑑みてなされたものであり、電子機器のタッチパネルの操作性を向上させ、操作性の悪さによる不快感を軽減させることを目的とする。
【課題を解決するための手段】
【０００６】
上記目的を達成するため、本発明の一態様の電子機器は、
情報の表示を行う表示部と、
前記表示部に重ねて配置され、ユーザのタッチ操作による入力を受け付ける入力部と、
前記表示部及び前記入力部の少なくとも一部を囲い、内周面が外周方向に窪んだ凹部を備える枠部材と、
を備えることを特徴とする。
【発明の効果】
【０００７】
本発明によれば、電子機器のタッチパネルの操作性を向上させ、操作性の悪さによる不快感を軽減させることができる。
【図面の簡単な説明】
【０００８】
【図１】本発明の電子機器の一実施形態としてのリスト端末の外観構成を示す模式図であり、図１（Ａ）は上面図、図１（Ｂ）は図１（Ａ）におけるＡ−Ａ断面図を示している。
【図２】リスト端末の操作面の構成を示す模式図である。
【図３】枠部材の外周面を円筒面とした変形例におけるリスト端末の外観構成を示す模式図であり、図３（Ａ）は上面図、図３（Ｂ）は図３（Ａ）におけるＢ−Ｂ断面図を示している。
【図４】本発明の第２実施形態に係るリスト端末の外観構成を示す模式図であり、図４（Ａ）は上面図、図４（Ｂ）は図４（Ａ）におけるＣ−Ｃ断面図を示している。
【図５】タッチセンサの操作面の周縁部と枠部材の内周面との連接部に段差がない他の構成例のリスト端末を示す断面図である。
【図６】本発明の第３実施形態に係るリスト端末の外観構成を示す模式図である。
【発明を実施するための形態】
【０００９】
以下、本発明の実施形態について、図面を用いて説明する。
【００１０】
［第１実施形態］
［ハードウェア構成］
図１は、本発明の電子機器の一実施形態としてのリスト端末１の外観構成を示す模式図であり、図１（Ａ）は上面図、図１（Ｂ）は図１（Ａ）におけるＡ−Ａ断面図を示している。
リスト端末１は、ディスプレイ１０と、タッチセンサ２０と、枠部材３０と、ケース４０と、ベルト保持部材５０と、を備えている。
【００１１】
ディスプレイ１０は、不図示のＣＰＵ（Ｃｅｎｔｒａｌ  Ｐｒｏｃｅｓｓｉｎｇ  Ｕｎｉｔ）の制御に従って、時刻、地図あるいは設定画面等の各種情報を表示する。
タッチセンサ２０は、静電容量方式あるいは抵抗膜方式等のタッチセンサによって構成され、ユーザの指等、接触物の接触位置を検出する。本実施形態において、タッチセンサ２０はディスプレイ１０に重ねて配置され、ディスプレイ１０における表示位置とタッチセンサにおける接触位置とが対応付けられている。即ち、ディスプレイ１０とタッチセンサ２０とによって、タッチパネルが構成されている。
【００１２】
枠部材３０は、ディスプレイ１０及びタッチセンサ２０を囲う略円筒状の枠体を構成し、ディスプレイ１０及びタッチセンサ２０を保持する。また、枠部材３０は、タッチセンサ２０の操作面よりも法線方向（前面側）に突出しており、タッチセンサ２０の操作面及びディスプレイ１０の表示面を保護する。また、枠部材３０は、タッチセンサ２０に対する操作性を高めるため、内周面の所定箇所に凹部を備えている。具体的には、枠部材３０は、ベゼルあるいはプロテクション等の部品として構成することができる。
ケース４０は、ディスプレイ１０、タッチセンサ２０及び枠部材３０を保持すると共に、内部に不図示のＣＰＵ等、リスト端末１の電子部品を収容している。
ベルト保持部材５０は、ケース４０外周の上下端（上面視における０時及び６時の位置）に設置され、ユーザの腕にリスト端末１を装着するためのベルトを保持する。
【００１３】
［操作面の具体的構成］
次に、リスト端末１の操作面の具体的な構成について説明する。
図２は、リスト端末１の操作面の構成を示す模式図である。
図２に示すように、リスト端末１において、枠部材３０は、略円筒状の部材として構成され、内部にディスプレイ１０及びタッチセンサ２０が設置される。
また、枠部材３０は、上面視における０時、３時、６時及び９時の位置において、内周面及び外周面の半径が拡大する方向に湾曲した突出部３１を備えている。突出部３１においては、内周面に凹部３１ａが形成され、凹部３１ａの位置には、タッチセンサ２０の操作面が拡張された部分（以下、「拡張操作面２１」と呼ぶ。）が形成されている。
【００１４】
したがって、リスト端末１の向かい合う拡張操作面２１の部分においては、他の部分よりも、枠部材３０に近い位置まで指を接触させることができる。そのため、例えば、向かい合う拡張操作面２１の間を接触操作することで、フリック操作（あるいは、スクロール操作、スワイプ操作、スライド操作等）のストロークを長く取ることができる。
また、拡張操作面２１の部分は、枠部材３０の形状が他の部分と異なることが接触によって認識できるため、リスト端末１を視認することなく、拡張操作面２１の位置に基づく接触操作を行うことができる。
また、拡張操作面２１の部分は、枠部材３０と指とが接触し難い構造となっているため、容易にタッチ操作を行うことができる。
【００１５】
［作用］
上述のように、リスト端末１は、ディスプレイ１０に情報を表示する機能と、タッチセンサ２０によってタッチ操作を受け付ける機能を備えている。
例えば、ディスプレイ１０に地図が表示されている場合、タッチセンサ２０の操作面に指を接触させ、いずれかの方向に払う動作（フリック）を行うことで、表示内容をフリックした方向にスクロールさせることができる。
このとき、リスト端末１は、上面視における０時、３時、６時及び９時の位置に拡張操作面２１が形成されているため、０時及び６時の位置における拡張操作面２１の間（縦方向）、あるいは、３時及び９時の位置における拡張操作面２１の間（横方向）においては、他の部分よりもフリックのストロークを長く取ることができる。
したがって、一度のフリック操作でスクロールさせる幅をより大きくすることができる。
【００１６】
また、このとき、拡張操作面２１の端部まで操作面に指を接触させてフリックした場合であっても、指が枠部材３０に接触し難いため、容易にタッチ操作を行うことができる。
さらに、例えば、リスト端末１においてアラームが設定され、アラームが鳴動した場合に、いずれかの拡張操作面２１を起点としてフリックすることで、アラームを解除させる設定とすることができる。
【００１７】
このとき、拡張操作面２１の部分は、枠部材３０の形状が他の部分と異なることが接触によって認識できるため、ユーザはリスト端末１を視認することなく、簡単にアラームを解除させることができる。
このように、本実施形態のリスト端末１によれば、電子機器のタッチパネルの操作性を向上させ、操作性の悪さによる不快感を軽減させることが可能となる。
【００１８】
［変形例１］
第１実施形態において、枠部材３０は、上面視における０時、３時、６時及び９時の位置において、内周面及び外周面の半径が拡大する方向に湾曲した突出部３１を備えることとしたが、これに限られない。
例えば、枠部材３０の外周面は円筒面とし、内周面の０時、３時、６時及び９時の位置に凹部３１ａを形成することとしてもよい。
【００１９】
図３は、枠部材３０の外周面を円筒面とした変形例におけるリスト端末１の外観構成を示す模式図であり、図３（Ａ）は上面図、図３（Ｂ）は図３（Ａ）におけるＢ−Ｂ断面図を示している。
図３に示すリスト端末１の枠部材３０は、外周面が円筒面である一方、内周面には、第１実施形態と同様に凹部３１ａが形成されている。
図３に示す構成の場合にも、凹部３１ａの位置には、タッチセンサ２０の操作面が拡張された拡張操作面２１を形成することができる。
【００２０】
なお、第１実施形態及び上記変形例１において、凹部３１ａの位置に拡張操作面２１を形成し、タッチセンサ２０の操作面を拡張するものとしたが、これに限られない。即ち、凹部３１ａの位置には、タッチセンサ２０の操作面を拡張しない構成とすることができる。この場合、リスト端末１の構成を簡単なものとすることができる。
また、凹部３１ａの位置に、ディスプレイ１０の表示面を拡張することとしてもよい。この場合、小型のディスプレイ１０を備えるリスト端末１において、より広い表示面を確保することができる。反対に、凹部３１ａの位置には、ディスプレイ１０の表示面を拡張しない構成とすることもできる。この場合、リスト端末１の構成を簡単なものとすることができる。
【００２１】
［第２実施形態］
次に、本発明の第２実施形態について説明する。
第１実施形態においては、タッチセンサ２０に対する操作性を高めるため、枠部材３０における内周面の所定箇所に凹部３１ａを備えることとした。これに対し、第２実施形態のリスト端末１は、タッチセンサ２０に対する操作性を高めるため、タッチセンサ２０と枠部材３０との連接部に段差がない形状となっている。
【００２２】
［ハードウェア構成］
図４は、本発明の第２実施形態に係るリスト端末１の外観構成を示す模式図であり、図４（Ａ）は上面図、図４（Ｂ）は図４（Ａ）におけるＣ−Ｃ断面図を示している。なお、図４（Ｂ）において、裏面側（図中のディスプレイ１０下方）には、ＣＰＵあるいはバッテリ等の部品が設置されているが、これらの構成は図示を省略してある。
【００２３】
図４に示すように、リスト端末１は、ディスプレイ１０と、タッチセンサ２０と、枠部材３０と、ケース４０と、ベルト保持部材５０と、を備えている。
これらのうち、本実施形態においては、タッチセンサ２０及び枠部材３０の構成が第１実施形態と異なっている。したがって、異なる部分であるタッチセンサ２０及び枠部材３０の構成を主として説明する。
タッチセンサ２０は、静電容量方式あるいは抵抗膜方式等のタッチセンサによって構成され、ユーザの指等、接触物の接触位置を検出する。本実施形態において、タッチセンサ２０はディスプレイ１０に重ねて配置され、ディスプレイ１０における表示位置とタッチセンサにおける接触位置とが対応付けられている。即ち、ディスプレイ１０とタッチセンサ２０とによって、タッチパネルが構成されている。
【００２４】
さらに、タッチセンサ２０の上面（操作面）は凹面に構成されており、中心部よりも周縁部の高さが徐々に高くなっている。また、周縁部の高さは、枠部材３０の内周面の高さと同一とされている。
したがって、ユーザがタッチセンサ２０の操作面に指を接触させ、タッチセンサ２０の周縁部に向けて操作を行った場合に、ユーザの指が枠部材３０に接触して動きを阻害されることなく、滑らかに操作を行うことができる。
枠部材３０は、ディスプレイ１０及びタッチセンサ２０を囲う略円筒状の枠体を構成し、ディスプレイ１０及びタッチセンサ２０を保持する。また、枠部材３０の内周面の高さは、タッチセンサ２０周縁部の高さと同一とされている。
【００２５】
［作用］
上述のように、タッチセンサ２０の上面（操作面）は凹面に構成されており、中心部よりも周縁部の高さが徐々に高くなっている。そして、周縁部において、枠部材３０の内周面の高さとタッチセンサ２０の上面の高さとが同一となる。
これにより、ユーザがタッチセンサ２０の操作面を中心から周縁部の方向に指で操作した場合、周縁部に指が達した場合であっても、枠部材３０はタッチセンサ２０の周縁部と同じ高さとなる。
そのため、ユーザの指が枠部材３０と接触し、枠部材３０がユーザの操作面上における指の移動を阻害することを防ぐことができる。
【００２６】
したがって、本実施形態のリスト端末１によれば、電子機器のタッチパネルの操作性を向上させ、操作性の悪さによる不快感を軽減させることが可能となる。
なお、本実施形態において、タッチセンサ２０の上面（操作面）の凹面形状は、中心付近がより平坦に近く、周縁部に近づくにつれて曲率が大きくなるものとしてもよい。
これにより、表示への影響を抑制しつつ、電子機器のタッチパネルの操作性を向上させ、操作性の悪さによる不快感を軽減させることが可能となる。
【００２７】
［変形例１］
第２実施形態において、タッチセンサ２０の上面（操作面）は凹面に構成され、周縁部の高さが枠部材３０の内周面の高さと同一になるものとした。これに対し、タッチセンサ２０の操作面の周縁部と枠部材３０の内周面との連接部に段差がない構成であれば、他の構成とすることも可能である。
図５は、タッチセンサ２０の操作面の周縁部と枠部材３０の内周面との連接部に段差がない他の構成例のリスト端末１を示す断面図である。なお、図５に示す断面図は、図４（Ｂ）の断面図に相当する構造を示している。
【００２８】
図５に示すように、本変形例に係るリスト端末１は、タッチセンサ２０の操作面を平坦に構成し、枠部材３０の内周面の高さを操作面の周縁部と同一とすると共に、枠部材３０の上面が、内周面から外周面に向けて高くなる傾斜を有している。
このような構成により、ユーザがタッチセンサ２０の操作面における周縁部を指で操作した場合、枠部材３０に指が接触し難いため、容易にタッチ操作を行うことができる。
そのため、ユーザの指が枠部材３０と接触し、枠部材３０がユーザの操作面上に対する操作を阻害することを防ぐことができる。
【００２９】
［第３実施形態］
次に、本発明の第３実施形態について説明する。
第１実施形態においては、タッチセンサ２０に対する操作性を高めるため、枠部材３０における内周面の所定箇所に凹部３１ａを備えることとした。また、第２実施形態においては、タッチセンサ２０に対する操作性を高めるため、タッチセンサ２０と枠部材３０との連接部に段差がない形状とした。これに対し、第３実施形態のリスト端末１は、タッチセンサ２０に対する操作性を高めるため、タッチセンサ２０の操作面に、操作方向をガイドする形状が形成されている。
【００３０】
［ハードウェア構成］
図６は、本発明の第３実施形態に係るリスト端末１の外観構成を示す模式図である。
図６に示すように、リスト端末１は、ディスプレイ１０と、タッチセンサ２０と、枠部材３０と、ケース４０と、ベルト保持部材５０と、を備えている。
これらのうち、本実施形態においては、タッチセンサ２０及び枠部材３０の構成が第１実施形態と異なっている。したがって、異なる部分であるタッチセンサ２０及び枠部材３０の構成を主として説明する。
【００３１】
タッチセンサ２０は、静電容量方式あるいは抵抗膜方式等のタッチセンサによって構成され、ユーザの指等、接触物の接触位置を検出する。本実施形態において、タッチセンサ２０はディスプレイ１０に重ねて配置され、ディスプレイ１０における表示位置とタッチセンサにおける接触位置とが対応付けられている。即ち、ディスプレイ１０とタッチセンサ２０とによって、タッチパネルが構成されている。
さらに、タッチセンサ２０の上面（操作面）には、操作方向をガイドする溝部２２及び凸部２３が形成されている。具体的には、タッチセンサ２０の上面には、上面視における９時の位置と３時の位置とを結ぶ３本の溝部２２と、上面視における０時の位置と６時の位置とを結ぶ３本の凸部２３とが形成されている。溝部２２は、タッチセンサ２０の上面における平坦部分から窪み、凸部２３は、タッチセンサ２０の上面における平坦部分から突出している。
したがって、ユーザがタッチセンサ２０の操作面に指を接触させ、指を移動させる際に、指の感触のみによって、タッチセンサ２０における方向を認識することができる。
【００３２】
枠部材３０は、ディスプレイ１０及びタッチセンサ２０を囲う略円筒状の枠体を構成し、ディスプレイ１０及びタッチセンサ２０を保持する。また、枠部材３０は、タッチセンサ２０の操作面よりも法線方向に突出しており、タッチセンサ２０の操作面及びディスプレイ１０の表示面を保護する。具体的には、枠部材３０は、ベゼルあるいはプロテクション等の部品として構成することができる。
【００３３】
［作用］
上述のように、タッチセンサ２０の上面には、上面視における９時の位置と３時の位置とを結ぶ３本の溝部２２と、上面視における０時の位置と６時の位置とを結ぶ３本の凸部２３とが形成されている。
そのため、リスト端末１の所定の操作を、リスト端末１を視認することなく、指の感触のみによって行うことができる。
【００３４】
例えば、リスト端末１が、溝部２２に沿ってフリックすることでストップウォッチのスタート、凸部２３に沿ってフリックすることでストップウォッチのストップという操作を行う設定である場合に、リスト端末１を装着したユーザがマラソンをスタートするとき、及び、マラソンにゴールしたときの計時操作を、リスト端末１を視認することなく行うことができる。
また、このとき、溝部２２及び凸部２３の感触により、操作中も溝部２２及び凸部２３の方向を把握し易いため、フリックする方向がずれること等による誤操作を抑制することができる。
さらに、溝部２２と凸部２３とを感触によって区別することができるため、より多様な操作を指の感触のみによって行うことができる。
【００３５】
このように、本実施形態のリスト端末１においては、溝部２２及び凸部２３がフリック等の操作方向のガイドとなるため、ユーザの腕に装着され、リスト端末１の向きが不安定な状態等であっても、リスト端末１を視認することなく、操作面に対して正確な方向の操作を行うことが可能となる。
したがって、本実施形態のリスト端末１によれば、電子機器のタッチパネルの操作性を向上させ、操作性の悪さによる不快感を軽減させることが可能となる。
【００３６】
以上のように構成されるリスト端末１は、ディスプレイ１０と、タッチセンサ２０と、枠部材３０とを備える。
ディスプレイ１０は、情報の表示を行う。
タッチセンサ２０は、ディスプレイ１０に重ねて配置され、ユーザのタッチ操作による入力を受け付ける。
枠部材３０は、ディスプレイ１０及びタッチセンサ２０の少なくとも一部を囲い、内周面が外周方向に窪んだ凹部３１ａを備える。
これにより、凹部３１ａが形成された部分では、フリック操作等を行う距離をより大きくすることができる。
したがって、電子機器のタッチパネルの操作性を向上させ、操作性の悪さによる不快感を軽減させることができる。
また、表示画面を保護するベゼル等の枠部材を備える電子機器においては、操作時にユーザの指が枠部材に接触する可能性があるが、このような操作を数ヶ月あるいは数年間続けた場合にも、従来の電子機器に比べて、指にマメやタコあるいは裂傷等が生じることを防ぐことができる。
【００３７】
また、枠部材３０は、内周面における対向する位置に１組または複数組の凹部３１ａを備える。
これにより、対向する凹部３１ａの部分においては、他の部分よりも、枠部材３０に近い位置まで指を接触させることができる。
したがって、対向する凹部３１ａの部分において、フリック等の操作のストロークを長く取ることができる。
【００３８】
また、凹部３１ａは、枠部材３０におけるタッチセンサ２０に対して、スクロール操作、フリック操作、スワイプ操作、またはスライド操作のうち少なくともいずれか１つの操作による入力が可能な方向に対応する位置に備えられる。
これにより、タッチ操作の方向に対応して凹部３１ａを備えることができるため、タッチ操作をより行い易くすることができる。
【００３９】
また、リスト端末１において、タッチセンサ２０の周縁部と枠部材３０の内周部とが同一の高さである。
これにより、ユーザがタッチセンサ２０の操作面に指を接触させ、タッチセンサ２０の周縁部に向けて操作を行った場合に、ユーザの指が枠部材３０に接触して動きを阻害されることなく、滑らかに操作を行うことができる。
【００４０】
また、タッチセンサ２０は、中心部から周縁部に向けて高さが高くなる。
これにより、ユーザがタッチセンサ２０の操作面を中心から周縁部の方向に指で操作した場合、周縁部に指が達した場合であっても、枠部材３０はタッチセンサ２０の周縁部と同じ高さとなる。
したがって、ユーザの指が枠部材３０と接触し、枠部材３０がユーザの操作面上における指の移動を阻害することを防ぐことができる。
【００４１】
また、リスト端末１において、タッチセンサ２０は、表面に線状の溝部２２または凸部２３の少なくともいずれか１つを備える。
これにより、リスト端末１の所定の操作を、リスト端末１を視認することなく、指の感触のみによって行うことができる。
【００４２】
また、タッチセンサ２０は、表面に線状の溝部２２と、溝部２２に交差する線状の凸部２３とを備える
これにより、溝部２２と凸部２３とを感触によって区別することができるため、より多様な操作を指の感触のみによって行うことができる。
【００４３】
また、溝部２２及び凸部２３は、枠部材３０におけるタッチセンサ２０に対して、スクロール操作、フリック操作、スワイプ操作、またはスライド操作のうち少なくともいずれか１つの操作による入力が可能な方向に対応する位置に備えられる。
これにより、タッチ操作の方向に対応して凹部３１ａを備えることができるため、タッチ操作をより行い易くすることができる。
【００４４】
なお、本発明は、上述の実施形態に限定されるものではなく、本発明の目的を達成できる範囲での変形、改良等は本発明に含まれるものである。
【００４５】
例えば、第１実施形態では、凹部３１ａ及び拡張操作面２１を枠部材の内周面の４箇所（対向する２組の位置）に備えることとしたが、これに限られない。即ち、凹部３１ａ及び拡張操作面２１を対向する位置に１組のみ備えたり、３組以上備えたりすることが可能である。
【００４６】
また、第２実施形態では、タッチセンサ２０の上面（操作面）を凹面に構成することとしたが、これに限られない。即ち、タッチセンサ２０の周縁部の高さが枠部材３０の内周面の高さと同一となれば、タッチセンサ２０の上面を平坦な面と凹面とを組み合わせた構成としてもよい。
【００４７】
また、第３実施形態では、溝部２２及び凸部２３をそれぞれ３本ずつ備えることとしたが、これに限られない。即ち、溝部２２及び凸部２３をそれぞれ２本以下としたり、溝部２２及び凸部２３をそれぞれ４本以上としたり、あるいは、溝部２２及び凸部２３の数を異ならせたりすることができる。
【００４８】
また、上述の実施形態では、本発明が適用される電子機器は、リスト端末１を例として説明したが、特にこれに限定されない。
例えば、本発明は、身体に装着されるタッチパネル機能を有する電子機器一般に適用することができる。具体的には、例えば、本発明は、歩数計、活動量計等の計測機器、血圧計、脈拍計等の生体情報センサ等に適用可能である。
【００４９】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００５０】
以下に、本願の出願当初の特許請求の範囲に記載された発明を付記する。
［付記１］
情報の表示を行う表示部と、
前記表示部に重ねて配置され、ユーザのタッチ操作による入力を受け付ける入力部と、
前記表示部及び前記入力部の少なくとも一部を囲い、内周面が外周方向に窪んだ凹部を備える枠部材と、
を備えることを特徴とする電子機器。
［付記２］
前記枠部材は、前記内周面における対向する位置に少なくとも１組の前記凹部を備えることを特徴とする付記１に記載の電子機器。
［付記３］
前記凹部は、前記枠部材における前記入力部に対して、スクロール操作、フリック操作、スワイプ操作、またはスライド操作のうち少なくともいずれか１つの操作による入力が可能な方向に対応する位置に備えられることを特徴とする付記１または２に記載の電子機器。
［付記４］
情報の表示を行う表示部と、
前記表示部に重ねて配置され、ユーザのタッチ操作による入力を受け付ける入力部と、
前記表示部及び前記入力部の少なくとも一部を囲う枠部材と、
を備え、
前記入力部の周縁部と前記枠部材の内周部とが同一の高さであることを特徴とする電子機器。
［付記５］
前記入力部は、中心部から前記周縁部に向けて高さが高くなることを特徴とする付記４に記載の電子機器。
［付記６］
情報の表示を行う表示部と、
前記表示部に重ねて配置され、ユーザのタッチ操作による入力を受け付け、表面に線状の溝部及び凸部の少なくともいずれか１つを備える入力部と、
前記表示部及び前記入力部の少なくとも一部を囲う枠部材と、
を備えることを特徴とする電子機器。
［付記７］
前記入力部は、表面に線状の溝部と、前記溝部に交差する線状の凸部とを備えることを特徴とする付記６に記載の電子機器。
［付記８］
前記溝部及び凸部は、前記枠部材における前記入力部に対して、スクロール操作、フリック操作、スワイプ操作、またはスライド操作のうち少なくともいずれか１つの操作による入力が可能な方向に対応する位置に備えられることを特徴とする付記６または７に記載の電子機器。
【符号の説明】
【００５１】
１・・・リスト端末，１０・・・ディスプレイ，２０・・・タッチセンサ，２１・・・拡張操作面，２２・・・溝部，２３・・・凸部，３０・・・枠部材，３１ａ・・・凹部，４０・・・ケース，５０・・・ベルト保持部材
【図１】
0006554849.tif 000002
【図２】
0006554849.tif 000003
【図３】
0006554849.tif 000004
【図４】
0006554849.tif 000005
【図５】
0006554849.tif 000006
【図６】
0006554849.tif 000007